(57)【特許請求の範囲】
【請求項１】
歯高さ、半歯幅、歯先Ｒ、歯元Ｒ、圧力面張出、圧力角、圧力面曲率半径等の歯付ベルトを構成する寸法パラメータの中から、複数の寸法パラメータを選択する寸法パラメータ選択手段と、
歯付ベルト最適形状予測前の既存の歯付ベルトについて、前記各寸法パラメータの現実の値及び任意のその近傍値を前記各寸法パラメータの複数（６以下）の水準値として設定する寸法パラメータ水準値設定手段と、
前記各寸法パラメータの前記各水準値を全て或いは一部のみ組み合わせて、複数の寸法パラメータ群を作成する寸法パラメータ群生成手段と、
前記各寸法パラメータの前記各水準値の最大値と最小値の間を等分割して前記各寸法パラメータの値を１０前後設定し、前記各寸法パラメータの各値を全て組み合わせて認識用データを作成する認識用データ生成手段と、
前記寸法パラメータ群を入力として、予め設定した前記歯付ベルトの心線及び歯布の弾性率或いは引張り剛性、ゴムの非線形的な挙動を考慮したパラメータ等の物性データと前記歯付ベルトの両端にかかる張力或いは歯付ベルトの両端にかかる張力の差である歯荷重、歯付プーリとの間の摩擦係数等の力学的条件に基づいて、有限要素法解析により前記歯付ベルトの性能を示す出力を前記寸法パラメータ群に対応して得る有限要素法解析手段と、
前記有限要素法解析の入力である前記寸法パラメータ群と、前記有限要素法解析の出力である歯付ベルトの性能の組み合わせを学習し、前記認識用データを入力として前記歯付ベルトの性能を示す出力である認識出力を得るニューラルネットワークと、
前記ニューラルネットワークで得られた前記認識出力の内、前記既存の歯付ベルトについて得られた出力と比較した所定の制約条件を満たし、且つ、前記歯付ベルトの性能に関する特定の目的に対して最良の出力を与えた入力である認識用データを歯付ベルトの最適形状と決定する歯付ベルト最適形状決定手段と、
を有することを特徴とする歯付ベルト最適形状予測装置。
【請求項２】
前記有限要素法解析手段は、有限要素法解析条件として、前記歯付ベルトの歯部を要素分割し、歯布層、ゴム層共にその表層部に厚さ約０．１ｍｍの要素からなる層を形成し、張力の大きい張り側歯布層と張り側ゴム層、張力の小さいゆるみ側歯布層とゆるみ側ゴム層の４箇所について、それぞれ歯元部を含む複数の要素を抽出し、前記歯付ベルトの性能を示す出力として前記歯付ベルトの歯元の最大せん断応力を選択し、前記各要素における最大せん断応力値を有限要素法解析により求めることを特徴とする請求項１に記載の歯付ベルト最適形状予測装置。
【請求項３】
歯高さ、半歯幅、歯先Ｒ、歯元Ｒ、圧力面張出、圧力角、圧力面曲率半径等の歯付ベルトを構成する寸法パラメータの中から、複数の寸法パラメータを選択する寸法パラメータ選択ステップと、
歯付ベルト最適形状予測前の既存の歯付ベルトについて、前記各寸法パラメータの現実の値及び任意のその近傍値を前記各寸法パラメータの複数（６以下）の水準値として設定する寸法パラメータ水準値設定ステップと、
前記各寸法パラメータの前記各水準値を全て或いは一部のみ組み合わせて、複数の寸法パラメータ群を作成する寸法パラメータ群生成ステップと、
前記歯付ベルトの心線及び歯布の弾性率或いは引張り剛性、ゴムの非線形的な挙動を考慮したパラメータ等の物性データと前記歯付ベルトの両端にかかる張力或いは歯付ベルトの両端にかかる張力の差である歯荷重、歯付プーリとの間の摩擦係数等の力学的条件を設定し、前記寸法パラメータ群を入力として、有限要素法解析により前記歯付ベルトの性能を示す出力を前記寸法パラメータ群に対応して得る有限要素法解析ステップと、
前記有限要素法解析の入力である前記寸法パラメータ群と、前記有限要素法解析の出力である歯付ベルトの性能の組み合わせをニューラルネットワークに学習させるニューラルネットワーク学習ステップと、
前記各寸法パラメータの複数の水準値の最大値と最小値の間を等分割して前記各寸法パラメータの値を１０前後設定し、前記各寸法パラメータの各値を全て組み合わせて認識用データを作成する認識用データ生成ステップと、
前記認識用データを入力として前記ニューラルネットワークにより前記歯付ベルトの性能を示す出力である認識出力を得るニューラルネットワーク算出ステップと、
前記ニューラルネットワークで得られた前記認識出力の内、前記既存の歯付ベルトについて得られた出力と比較した所定の制約条件を満たし、且つ、前記歯付ベルトの性能に関する特定の目的に対して最良の出力を与えた入力である認識用データを歯付ベルトの最適形状と決定する歯付ベルト最適形状決定ステップと、
を有することを特徴とする歯付ベルト最適形状予測方法。
【請求項４】
前記有限要素法解析ステップは、有限要素法解析条件として、前記歯付ベルトの歯部を要素分割し、歯布層、ゴム層共にその表層部に厚さ約０．１ｍｍの要素からなる層を形成し、張力の大きい張り側歯布層と張り側ゴム層、張力の小さいゆるみ側歯布層とゆるみ側ゴム層の４箇所について、それぞれ歯元部を含む複数の要素を抽出し、前記歯付ベルトの性能を示す出力として前記歯付ベルトの歯元の最大せん断応力を選択し、前記各要素における最大せん断応力値を有限要素法解析により求めることを特徴とする請求項３に記載の歯付ベルト最適形状予測方法。
【請求項５】
歯高さ、半歯幅、歯先Ｒ、歯元Ｒ、圧力面張出、圧力角、圧力面曲率半径等の歯付ベルトを構成する寸法パラメータの中から、複数の寸法パラメータを選択する寸法パラメータ選択ステップ、
歯付ベルト最適形状予測前の既存の歯付ベルトについて、前記各寸法パラメータの現実の値及び任意のその近傍値を前記各寸法パラメータの複数（６以下）の水準値として設定する寸法パラメータ水準値設定ステップ、
前記各寸法パラメータの前記各水準値を全て或いは一部のみ組み合わせて、複数の寸法パラメータ群を作成する寸法パラメータ群生成ステップ、
前記歯付ベルトの心線及び歯布の弾性率或いは引張り剛性、ゴムの非線形的な挙動を考慮したパラメータ等の物性データと前記歯付ベルトの両端にかかる張力或いは歯付ベルトの両端にかかる張力の差である歯荷重、歯付プーリとの間の摩擦係数等の力学的条件を設定し、前記寸法パラメータ群を入力として、有限要素法解析により前記歯付ベルトの性能を示す出力を前記寸法パラメータ群に対応して得る有限要素法解析ステップ、
前記有限要素法解析の入力である前記寸法パラメータ群と、前記有限要素法解析の出力である歯付ベルトの性能の組み合わせをニューラルネットワークに学習させるニューラルネットワーク学習ステップ、
前記各寸法パラメータの複数の水準値の最大値と最小値の間を等分割して前記各寸法パラメータの値を１０前後設定し、前記各寸法パラメータの各値を全て組み合わせて認識用データを作成する認識用データ生成ステップ、
前記認識用データを入力として前記ニューラルネットワークにより前記歯付ベルトの性能を示す出力である認識出力を得るニューラルネットワーク算出ステップ、
前記ニューラルネットワークで得られた前記認識出力の内、前記既存の歯付ベルトについて得られた出力と比較した所定の制約条件を満たし、且つ、前記歯付ベルトの性能に関する特定の目的に対して最良の出力を与えた入力である認識用データを歯付ベルトの最適形状と決定する歯付ベルト最適形状決定ステップ、
をコンピュータに実行させるプログラム。
【請求項６】
前記有限要素法解析ステップは、有限要素法解析条件として、前記歯付ベルトの歯部を要素分割し、歯布層、ゴム層共にその表層部に厚さ約０．１ｍｍの要素からなる層を形成し、張力の大きい張り側歯布層と張り側ゴム層、張力の小さいゆるみ側歯布層とゆるみ側ゴム層の４箇所について、それぞれ歯元部を含む複数の要素を抽出し、前記歯付ベルトの性能を示す出力として前記歯付ベルトの歯元の最大せん断応力を選択し、前記各要素における最大せん断応力値を有限要素法解析により求めることを特徴とする請求項５に記載のプログラム。
【発明の詳細な説明】
【技術分野】
【０００１】
本発明は、歯付ベルトの最適形状を予測する歯付ベルト最適形状予測装置及び歯付ベルト最適形状予測方法、並びにプログラムに関するものである。
【背景技術】
【０００２】
従来、歯付ベルトは自動車用エンジンに用いられ、歯付ベルトの性能や耐久性の向上が求められている。歯付ベルト８は、図４に示すように、長手方向に沿って所定間隔で配置したゴムを基材とした複数の歯部９と、歯部９と連続する背部６と、背部６に埋設された心線５と、歯部９の表面に被覆された歯布４と、から構成される。そして、歯付ベルトの性能や耐久性を向上するにあたり、予測した歯付ベルトの性能や寿命に基づいて、歯付ベルトの最適形状を予測することが行われている。ここで、歯付ベルトの性能や寿命を予測するにあたり、歯元のクラック、歯元の歯布磨耗、心線の破断、背ゴムのクラック等の損傷モード毎に分析を行うことが有効であることが従来から知られている。このような各損傷モードの原因となる歯付ベルトのパラメータは物性データを固定して寸法パラメータのみを考慮するとしても、寸法パラメータは歯高さ、歯幅、歯部圧力面の張出しあるいはその曲率半径、歯元曲率半径等、多岐に及ぶため、実際の歯付ベルトを作成してそのような寸法パラメータの最適値を実験的に検討することは多大な労力とコストを伴うものとなる。
【０００３】
そこで、歯付ベルト、Ｖベルト等の伝動ベルトの性能や寿命を予測するために、従来、有限要素法解析（以下、「ＦＥＭ解析」と称する。）を用いた技術が提案されている。即ち、入力としてのベルトやプーリの形状、材料、使用条件等をＦＥＭ解析プログラムで処理し、出力としての応力、ひずみ、変位、摩擦仕事等の計算結果を得て、それに基づいて性能又は寿命を判断する。例えば、特許文献１には、歯付ベルトの伝動解析モデルの幾何データ、材料データ及び外力データを入力し、ＦＥＭ解析によりベルトの歯部における駆動側歯側面に発生する摩擦滑り仕事を、予め摩擦滑り仕事に応じて設定されている寿命特性と比較して、ベルトの歯部の寿命を予測する歯付ベルトの寿命予測方法及び寿命予測装置が開示されている。
【０００４】
【特許文献１】特開平９−１３３５９２号公報
【発明の開示】
【発明が解決しようとする課題】
【０００５】
しかしながら、ＦＥＭ解析を行うにあたり、データ入力、要素分割、条件設定等の一連の作業のために十分な時間を要する上、ベルトやプーリ形状・材料の最適化を行う場合には、それらの形状・材料データを数多く組み合わせて多数の案を検討する必要があり、そのために必要なＦＥＭ解析の時間は膨大なものとなる。従って、ベルトやプーリ形状・材料データを組み合わせた案が膨大になれば、従来技術のＦＥＭ解析により、歯付ベルトの最適形状を予測することが現実的に困難である。また、少ない数のベルトやプーリ形状・材料データを組み合わせた案に基づいてＦＥＭ解析により歯付ベルトの最適形状を予測したとしても、データ数が少ないために精度良く歯付ベルトの最適形状を予測することができない。
【０００６】
本発明は、短時間かつ高精度に歯付ベルトの最適形状を予測することができる歯付ベルト最適形状予測装置及び歯付ベルト最適形状予測方法、並びにプログラムを提供するものである。
【課題を解決するための手段及び効果】
【０００７】
本発明に係る歯付ベルト最適形状予測装置は、歯高さ、半歯幅、歯先Ｒ、歯元Ｒ、圧力面張出、圧力角、圧力面曲率半径等の歯付ベルトを構成する寸法パラメータの中から、複数の寸法パラメータを選択する寸法パラメータ選択手段と、歯付ベルト最適形状予測前の既存の歯付ベルトについて、前記各寸法パラメータの現実の値及び任意のその近傍値を前記各寸法パラメータの複数（６以下）の水準値として設定する寸法パラメータ水準値設定手段と、前記各寸法パラメータの前記各水準値を全て或いは一部のみ組み合わせて、複数の寸法パラメータ群を作成する寸法パラメータ群生成手段と、前記各寸法パラメータの前記各水準値の最大値と最小値の間を等分割して前記各寸法パラメータの値を１０前後設定し、前記各寸法パラメータの各値を全て組み合わせて認識用データを作成する認識用データ生成手段と、前記寸法パラメータ群を入力として、予め設定した前記歯付ベルトの心線及び歯布の弾性率或いは引張り剛性、ゴムの非線形的な挙動を考慮したパラメータ等の物性データと前記歯付ベルトの両端にかかる張力或いは歯付ベルトの両端にかかる張力の差である歯荷重、歯付プーリとの間の摩擦係数等の力学的条件に基づいて、有限要素法解析により前記歯付ベルトの性能を示す出力を前記寸法パラメータ群に対応して得る有限要素法解析手段と、前記有限要素法解析の入力である前記寸法パラメータ群と、前記有限要素法解析の出力である歯付ベルトの性能の組み合わせを学習し、前記認識用データを入力として前記歯付ベルトの性能を示す出力である認識出力を得るニューラルネットワークと、前記ニューラルネットワークで得られた前記認識出力の内、前記既存の歯付ベルトについて得られた出力と比較した所定の制約条件を満たし、且つ、前記歯付ベルトの性能に関する特定の目的に対して最良の出力を与えた入力である認識用データを歯付ベルトの最適形状と決定する歯付ベルト最適形状決定手段と、を有することを特徴とする。
【０００８】
本発明に係る歯付ベルト最適形状予測方法は、歯高さ、半歯幅、歯先Ｒ、歯元Ｒ、圧力面張出、圧力角、圧力面曲率半径等の歯付ベルトを構成する寸法パラメータの中から、複数の寸法パラメータを選択する寸法パラメータ選択ステップと、歯付ベルト最適形状予測前の既存の歯付ベルトについて、前記各寸法パラメータの現実の値及び任意のその近傍値を前記各寸法パラメータの複数（６以下）の水準値として設定する寸法パラメータ水準値設定ステップと、前記各寸法パラメータの前記各水準値を全て或いは一部のみ組み合わせて、複数の寸法パラメータ群を作成する寸法パラメータ群生成ステップと、前記歯付ベルトの心線及び歯布の弾性率或いは引張り剛性、ゴムの非線形的な挙動を考慮したパラメータ等の物性データと前記歯付ベルトの両端にかかる張力或いは歯付ベルトの両端にかかる張力の差である歯荷重、歯付プーリとの間の摩擦係数等の力学的条件を設定し、前記寸法パラメータ群を入力として、有限要素法解析により前記歯付ベルトの性能を示す出力を前記寸法パラメータ群に対応して得る有限要素法解析ステップと、前記有限要素法解析の入力である前記寸法パラメータ群と、前記有限要素法解析の出力である歯付ベルトの性能の組み合わせをニューラルネットワークに学習させるニューラルネットワーク学習ステップと、前記各寸法パラメータの複数の水準値の最大値と最小値の間を等分割して前記各寸法パラメータの値を１０前後設定し、前記各寸法パラメータの各値を全て組み合わせて認識用データを作成する認識用データ生成ステップと、前記認識用データを入力として前記ニューラルネットワークにより前記歯付ベルトの性能を示す出力である認識出力を得るニューラルネットワーク算出ステップと、前記ニューラルネットワークで得られた前記認識出力の内、前記既存の歯付ベルトについて得られた出力と比較した所定の制約条件を満たし、且つ、前記歯付ベルトの性能に関する特定の目的に対して最良の出力を与えた入力である認識用データを歯付ベルトの最適形状と決定する歯付ベルト最適形状決定ステップと、を有することを特徴とする。
【０００９】
本発明に係るプログラムは、歯高さ、半歯幅、歯先Ｒ、歯元Ｒ、圧力面張出、圧力角、圧力面曲率半径等の歯付ベルトを構成する寸法パラメータの中から、複数の寸法パラメータを選択する寸法パラメータ選択ステップ、歯付ベルト最適形状予測前の既存の歯付ベルトについて、前記各寸法パラメータの現実の値及び任意のその近傍値を前記各寸法パラメータの複数（６以下）の水準値として設定する寸法パラメータ水準値設定ステップ、前記各寸法パラメータの前記各水準値を全て或いは一部のみ組み合わせて、複数の寸法パラメータ群を作成する寸法パラメータ群生成ステップ、前記歯付ベルトの心線及び歯布の弾性率或いは引張り剛性、ゴムの非線形的な挙動を考慮したパラメータ等の物性データと前記歯付ベルトの両端にかかる張力或いは歯付ベルトの両端にかかる張力の差である歯荷重、歯付プーリとの間の摩擦係数等の力学的条件を設定し、前記寸法パラメータ群を入力として、有限要素法解析により前記歯付ベルトの性能を示す出力を前記寸法パラメータ群に対応して得る有限要素法解析ステップ、前記有限要素法解析の入力である前記寸法パラメータ群と、前記有限要素法解析の出力である歯付ベルトの性能の組み合わせをニューラルネットワークに学習させるニューラルネットワーク学習ステップ、前記各寸法パラメータの複数の水準値の最大値と最小値の間を等分割して前記各寸法パラメータの値を１０前後設定し、前記各寸法パラメータの各値を全て組み合わせて認識用データを作成する認識用データ生成ステップ、前記認識用データを入力として前記ニューラルネットワークにより前記歯付ベルトの性能を示す出力である認識出力を得るニューラルネットワーク算出ステップ、前記ニューラルネットワークで得られた前記認識出力の内、前記既存の歯付ベルトについて得られた出力と比較した所定の制約条件を満たし、且つ、前記歯付ベルトの性能に関する特定の目的に対して最良の出力を与えた入力である認識用データを歯付ベルトの最適形状と決定する歯付ベルト最適形状決定ステップ、をコンピュータに実行させることを特徴とする。
【００１０】
これにより、歯高さ、半歯幅、歯先Ｒ、歯元Ｒ、圧力面張出、圧力角、圧力面曲率半径等のから任意に選択された歯付ベルトを構成する寸法パラメータの少数の案（寸法パラメータ群）を入力として有限要素法解析で得た歯付ベルトの性能を示す出力（歯付ベルトの歯元の最大せん断応力等）に基づいて学習されたニューラルネットワークを用いて、歯付ベルトを構成する寸法パラメータの多数の案（認識用データ）を入力とし、歯付ベルトの性能を出力として解析を行うことにより、従来の有限要素法解析では困難であった歯付ベルトを構成する寸法パラメータの多数の案を検討することができ、目的に応じた歯付ベルトの最適形状をより短時間かつ高精度に予測することができる。ここで、所定の制約条件とは、例えば、歯付ベルト最適形状予測前の既存の歯付ベルトについて得られた出力をすべての箇所において下回ることである。その他、特定の箇所において応力増加を許容するような制約条件を任意に設定しても良い。尚、所定の制約条件を満たす出力が複数存在する場合は、それらを歯付ベルトの性能に関する特定の目的に対して良い順に並べ、最良の出力を与えた入力である認識用データを有する歯付ベルトを最適形状として決定する。
【００１１】
ここで、本発明に係る歯付ベルト最適形状予測装置は、前記有限要素法解析手段が、有限要素法解析条件として、前記歯付ベルトの歯部を要素分割し、歯布層、ゴム層共にその表層部に厚さ約０．１ｍｍの要素からなる層を形成し、張力の大きい張り側歯布層と張り側ゴム層、張力の小さいゆるみ側歯布層とゆるみ側ゴム層の４箇所について、それぞれ歯元部を含む複数の要素を抽出し、前記歯付ベルトの性能を示す出力として前記歯付ベルトの歯元の最大せん断応力を選択し、前記各要素における最大せん断応力値を有限要素法解析により求めて良い。また、本発明に係る歯付ベルト最適形状予測方法、並びにプログラムは、前記有限要素法解析ステップは、有限要素法解析条件として、前記歯付ベルトの歯部を要素分割し、歯布層、ゴム層共にその表層部に厚さ約０．１ｍｍの要素からなる層を形成し、張力の大きい張り側歯布層と張り側ゴム層、張力の小さいゆるみ側歯布層とゆるみ側ゴム層の４箇所について、それぞれ歯元部を含む複数の要素を抽出し、前記歯付ベルトの性能を示す出力として前記歯付ベルトの歯元の最大せん断応力を選択し、前記各要素における最大せん断応力値を有限要素法解析により求めて良い。
【００１２】
これにより、歯付ベルトの性能を示す出力として、歯付ベルトの歯元（前記４箇所）の最大せん断応力に基づいた歯付ベルトの最適形状を予測することができる。
【００１３】
尚、本発明に係るプログラムは、ＣＤ−ＲＯＭ（Compact Disc Read Only Memory）、ＤＶＤ（Digital Versatile Disk）などのリムーバブル型記録媒体やハードディスクなどの固定型記録媒体に記録して配布可能である他、有線又は無線の電気通信手段によってインターネットなどの通信ネットワークを介して配布可能である。
【発明を実施するための最良の形態】
【００１４】
以下、図面を参照しつつ、本発明に係る歯付ベルト最適形状予測装置及び歯付ベルト最適形状予測方法、並びにプログラムを実施するための最良の形態について具体的な一例に即して説明する。
【００１５】
まず、本実施形態に係る歯付ベルト最適形状予測装置及び歯付ベルト最適形状予測方法、並びにプログラムを適用する対象とする歯付ベルトについて図３及び図４に基づいて説明する。図３は、歯付ベルト伝動装置を示す概略図である。図４は、歯付ベルトを示す断面斜視図である。
【００１６】
図３に示すように、歯付ベルト伝動装置は、外周に複数の歯部３を有する歯付プーリからなる駆動プーリ１及び従動プーリ２と、駆動プーリ１及び従動プーリ２に噛合されて巻き掛けられ、内周に複数の歯部９を有する歯付ベルト８とから構成される。この歯付ベルト８は、図４に示すように、長手方向に沿って所定間隔で配置したゴムを基材とした複数の歯部９と、歯部９と連続する背部６と、背部６に埋設された心線５と、歯部９の表面に被覆された歯布４と、から構成される。
【００１７】
次に、本実施形態に係る歯付ベルト最適形状予測装置を図１に基づいて以下に説明する。図１は、本実施形態に係る歯付ベルト最適形状予測装置を示す概略図である。
【００１８】
本実施形態に係る歯付ベルト最適形状予測装置４０は、寸法パラメータ選択部１０と、寸法パラメータ水準値設定部１１と、寸法パラメータ群生成部１２と、認識用データ生成部１３と、有限要素法解析部２０と、物性データ及び力学的条件設定部２１と、ニューラルネットワーク３０と、最適形状出力部３１と、制約条件入力部３２と、から構成されている。
【００１９】
寸法パラメータ選択部１０は、歯付ベルトを構成する複数の寸法パラメータを選択するためのものである。ここで、歯付ベルトを構成する複数の寸法パラメータとしては、図５に示す歯高さ（ｈ）、半歯幅（ａ）、歯先Ｒ（Ｒ１）、歯元Ｒ（Ｒ２）、圧力面張出（ｃ）、圧力角（β）の他、圧力面曲率半径等が挙げられ、この中から任意に選択される。
【００２０】
寸法パラメータ水準値設定部１１は、現行の歯付ベルトについて、寸法パラメータ選択部１０で選択した各寸法パラメータの現実の値を抽出し、それらの値及びその近傍の値を複数の水準値として設定するためのものである。ここで、現行の歯付ベルトとは、本実施形態に係る歯付ベルト最適形状予測装置を適用する対象とする既存の歯付ベルトであって、歯部の形状及びサイズによって規定される。具体的には、Ｓ４．５Ｍ、Ｓ８Ｍ、Ｓ１４Ｍ等が挙げられる。そして、複数の水準値は、例えば、寸法パラメータとして歯高さを選択した場合、Ｓ８Ｍの歯付きベルトの現実の値は２．９２ｍｍであり、これを一つの水準値（第１水準）として設定する。そして、現実の値の近傍の値、例えば、２．３２ｍｍ、３．０２ｍｍを他の水準値（第２水準、第３水準）として設定する。尚、水準値は、寸法パラメータ選択部１０で選択した各寸法パラメータについて同数設定する。また、水準値の数は、６以下であることが望ましい。
【００２１】
寸法パラメータ群生成部１２は、寸法パラメータ水準値設定部１１で設定した各寸法パラメータの各水準値を任意に組み合わせて、複数の寸法パラメータ群を作成するためのものである。ここで、寸法パラメータ群生成部１２で作成される寸法パラメータ群は、後述するニューラルネットワーク３０の学習用データを得るためのものである。尚、寸法パラメータ群は、寸法パラメータ水準値設定部１１で設定した各寸法パラメータの各水準値を全て組み合わせるのではなく、一部のみ組み合わせることが望ましい。
【００２２】
認識用データ生成部１３は、各寸法パラメータの値を寸法パラメータ水準値設定部１１で設定した各寸法パラメータの水準値の最大値と最小値の間の範囲で任意に設定して、複数の認識用データを作成するためのものである。尚、各寸法パラメータの値は、寸法パラメータ水準値設定部１１で設定した各寸法パラメータの水準値の最大値と最小値の間で１０前後設定すると良い。また、各寸法パラメータの値は、寸法パラメータ水準値設定部１１で設定した各寸法パラメータの水準値の最大値と最小値の間を等分割して設定することが好ましい。そして、認識用データ生成部１３で作成される複数の認識用データは後述する学習されたニューラルネットワーク３０に入力される。
【００２３】
有限要素法解析部２０は、物性データ及び力学的条件設定部２１で予め設定した歯付ベルトの物性データ及び力学的条件と、寸法パラメータ群生成部１２で作成した複数の寸法パラメータ群を入力として、ＦＥＭ解析によって歯付ベルトの性能を示す出力を得るためのものである。ここで、歯付ベルトの性能を示す出力は、歯付ベルトの歯元の最大せん断応力等がある。また、物性データ及び力学的条件設定部２１で設定する歯付ベルトの物性データとしては、心線及び歯布の弾性率或いは引張り剛性、ゴムの非線形的な挙動を考慮したパラメータ等がある。そして、物性データ及び力学的条件設定部２１で設定する力学的条件としては、歯付ベルトの両端にかかる張力或いは歯付ベルトの両端にかかる張力の差である歯荷重、歯付プーリとの間の摩擦係数等がある。即ち、有限要素法解析部２０では、歯付ベルトの物性データ及び力学的条件を固定した上で、寸法パラメータ群生成部１２で作成した複数の寸法パラメータ群に対応する出力を得る。そして、有限要素法解析部２０で得た出力は、後述するニューラルネットワーク３０に学習用データとして入力される。
【００２４】
ニューラルネットワーク３０は、生物の神経細胞の信号伝達と記憶保持機能をモデルとするコンピュータ上でソフトウェア的に実現されるシステムであって、複数の入力と出力の組み合わせを学習し、続いて任意の多数の入力を認識して短時間に多数の出力を提供するためのものである。即ち、まず、ニューラルネットワーク３０は有限要素法解析部２０の入力（寸法パラメータ群生成部１２で作成した複数の寸法パラメータ群）と有限要素法解析部２０で得た出力（寸法パラメータ群生成部１２で作成した複数の寸法パラメータ群に対応する出力）との組み合わせを学習用データとして学習する。続いて、学習済みのニューラルネットワーク３０において、認識用データ生成部１３で作成した複数の認識用データを入力として歯付ベルトの性能を示す出力である認識出力を得る。そして、ニューラルネットワーク３０で得た認識出力は、最適形状出力部３１に入力される。
【００２５】
最適形状出力部３１は、ニューラルネットワーク３０で得られた認識出力の中から、制約条件入力部３２で入力した所定の制約条件を満たし、且つ、最良の出力を与えた入力である認識用データを有する歯付ベルトを最適形状として決定するためのものである。ここで、制約条件入力部３２で入力する所定の制約条件とは、例えば、現行の歯付ベルトについて得られた出力をすべての箇所において下回ることである。その他、特定の箇所において応力増加を許容するような制約条件を任意に設定しても良い。尚、所定の制約条件を満たす出力が複数存在する場合は、それらを特定の目的に対して良い順に並べ、最良の出力を与えた入力である認識用データを有する歯付ベルトを最適形状として決定する。
【００２６】
次に、本実施形態に係る歯付ベルト最適形状予測方法を図２に基づいて以下に説明する。図２は、本実施形態に係る歯付ベルト最適形状予測方法の処理の手順を示すフローチャート図である。尚、以下で説明する本実施形態に係る歯付ベルト最適形状予測方法の処理は、コンピュータにおいても同様に、プログラムとしてＣＰＵにより読み出して実行することができる。また、このプログラムは、ＣＤ−ＲＯＭやＦＤ、ＤＶＤなどのリムーバブルな記憶媒体に記録しておくことにより、様々なコンピュータの記憶装置にインストールすることが可能である。
【００２７】
まず、歯付ベルトを構成する複数の寸法パラメータを選択する（ステップＳ１：寸法パラメータ選択ステップ）。ここで、歯付ベルトを構成する複数の寸法パラメータとしては、図５に示す歯高さ（ｈ）、半歯幅（ａ）、歯先Ｒ（Ｒ１）、歯元Ｒ（Ｒ２）、圧力面張出（ｃ）、圧力角（β）の他、圧力面曲率半径等が挙げられ、この中から任意に選択される。
【００２８】
次に、現行の歯付ベルトについて、ステップＳ１で選択した各寸法パラメータの現実の値を抽出し、それらの値及びその近傍の値を複数の水準値として設定する（ステップＳ２：寸法パラメータ水準値設定ステップ）。ここで、現行の歯付ベルトとは、本実施形態に係る歯付ベルト最適形状予測装置を適用する対象とする既存の歯付ベルトであって、歯部の形状及びサイズによって規定される。具体的には、Ｓ４．５Ｍ、Ｓ８Ｍ、Ｓ１４Ｍ等が挙げられる。そして、複数の水準値は、例えば、寸法パラメータとして歯高さを選択した場合、Ｓ８Ｍの歯付きベルトの現実の値は２．９２ｍｍであり、これを一つの水準値（第１水準）として設定する。そして、現実の値の近傍の値、例えば、２．３２ｍｍ、３．０２ｍｍを他の水準値（第２水準、第３水準）として設定する。尚、水準値は、ステップＳ１で選択した各寸法パラメータについて同数設定する。また、水準値の数は、６以下であることが望ましい。
【００２９】
そして、ステップＳ２で設定した各寸法パラメータの各水準値を任意に組み合わせて、複数の寸法パラメータ群を作成する（ステップＳ３：寸法パラメータ群生成ステップ）。ここで、作成される寸法パラメータ群は、後述するニューラルネットワークの学習用データを得るためのものである。尚、寸法パラメータ群は、ステップＳ２で設定した各寸法パラメータの各水準値を全て組み合わせるのではなく、一部のみ組み合わせることが望ましい。
【００３０】
次に、歯付ベルトの物性データ及び力学的条件を設定し、ステップＳ３で作成した複数の寸法パラメータ群を入力として、有限要素法解析によって歯付ベルトの性能を示す出力を得る（ステップＳ４：有限要素法解析ステップ）。ここで、歯付ベルトの性能を示す出力は、歯付ベルトの歯元の最大せん断応力等がある。また、設定する歯付ベルトの物性データとしては、心線及び歯布の弾性率或いは引張り剛性、ゴムの非線形的な挙動を考慮したパラメータ等がある。そして、設定する力学的条件としては、歯付ベルトの両端にかかる張力或いは歯付ベルトの両端にかかる張力の差である歯荷重、歯付プーリとの間の摩擦係数等がある。即ち、有限要素法解析では、歯付ベルトの物性データ及び力学的条件を固定した上で、ステップＳ３で作成した複数の寸法パラメータ群に対応する出力を得る。そして、有限要素法解析で得た出力は、後述するニューラルネットワークに学習用データとして入力される。
【００３１】
そして、ニューラルネットワークにおいて、ステップＳ４における有限要素法解析の入力（ステップＳ３で作成した複数の寸法パラメータ群）とステップＳ４における有限要素法解析で得た出力（ステップＳ３で作成した複数の寸法パラメータ群に対応する出力）との組み合わせを学習用データとして学習させる（ステップＳ５：ニューラルネットワーク学習ステップ）。尚、ニューラルネットワークは、生物の神経細胞の信号伝達と記憶保持機能をモデルとするコンピュータ上でソフトウェア的に実現されるシステムであって、複数の入力と出力の組み合わせを学習し、続いて任意の多数の入力を認識して短時間に多数の出力を提供するためのものである。
【００３２】
次に、各寸法パラメータの値をステップＳ２で設定した各寸法パラメータの水準値の最大値と最小値の間の範囲で任意に設定して、複数の認識用データを作成する（ステップＳ６：認識用データ生成ステップ）。尚、各寸法パラメータの値は、ステップＳ２で設定した各寸法パラメータの水準値の最大値と最小値の間で１０前後設定すると良い。また、各寸法パラメータの値は、ステップＳ２で設定した各寸法パラメータの水準値の最大値と最小値の間を等分割して設定することが好ましい。そして、作成される複数の認識用データはステップＳ５で学習されたニューラルネットワークに入力される。
【００３３】
続いて、ステップＳ５で学習済みのニューラルネットワークにおいて、ステップＳ６で作成した複数の認識用データを入力として歯付ベルトの性能を示す出力である認識出力を得る（ステップＳ７：ニューラルネットワーク算出ステップ）。
【００３４】
そして、ステップＳ７で得られた認識出力の中から、所定の制約条件を満たし、且つ、最良の出力を与えた入力である認識用データを有する歯付ベルトを最適形状として決定する（ステップＳ８：最適形状出力ステップ）。ここで、所定の制約条件とは、例えば、現行の歯付ベルトについて得られた出力をすべての箇所において下回ることである。その他、特定の箇所において応力増加を許容するような制約条件を任意に設定しても良い。尚、所定の制約条件を満たす出力が複数存在する場合は、それらを特定の目的に対して良い順に並べ、最良の出力を与えた入力である認識用データを有する歯付ベルトを最適形状として決定する。
【００３５】
このように、本実施形態に係る歯付ベルト最適形状予測装置及び歯付ベルト最適形状予測方法、並びにプログラムによると、歯付ベルトを構成する寸法パラメータの少数の案を入力として有限要素法解析で得た歯付ベルトの性能を示す出力に基づいて学習されたニューラルネットワークを用いて、歯付ベルトを構成する寸法パラメータの多数の案を入力とし、歯付ベルトの性能を出力として解析を行うことにより、従来の有限要素法解析では困難であった歯付ベルトを構成する寸法パラメータの多数の案を検討することができ、目的に応じた歯付ベルトの最適形状をより短時間かつ高精度に予測することができる。
【００３６】
以上、本発明は、上記の好ましい実施形態に記載されているが、本発明はそれだけに制限されない。本発明の精神と範囲から逸脱することのない様々な実施形態が他になされる。さらに、本実施形態において、本発明の構成による作用および効果を述べているが、これら作用および効果は、一例であり、本発明を限定するものではない。また、具体例は、本発明の構成を例示したものであり、本発明を限定するものではない。
【実施例】
【００３７】
次に、上述した実施形態に係る歯付ベルト最適形状予測装置及び歯付ベルト最適形状予測方法、並びにプログラムを用いて行った実施例について図１及び図２に基づいて説明する。
【００３８】
まず、寸法パラメータ選択部１０において、歯付ベルトを構成する複数の寸法パラメータを選択する（ステップＳ１：寸法パラメータ選択ステップ）。本実施例では、半歯幅ａ（ｍｍ）、歯高さｈ（ｍｍ）、圧力角β（ｍｍ）、圧力面張出ｃ（ｍｍ）、歯元半径Ｒ１（ｍｍ）、歯先半径Ｒ２（ｍｍ）を選択した。
【００３９】
次に、寸法パラメータ水準値設定部１１において、現行の歯付ベルトについて、寸法パラメータ選択部１０で選択した各寸法パラメータの現実の値を抽出し、それらの値及びその近傍の値を複数の水準値として設定する（ステップＳ２：寸法パラメータ水準値設定ステップ）。本実施例では、Ｓ８Ｍの歯付ベルト（ａ＝２．５５４６、ｈ＝２．９２、β＝２５．７４、ｃ＝０．２５９１、Ｒ１＝０．８、Ｒ２＝０．８）を現行の歯付ベルトとして採用し、水準値を以下の表１のように設定した。
【００４０】
【表１】
0004786968.tif 000002
【００４１】
そして、寸法パラメータ群生成部１２において、寸法パラメータ水準値設定部１１で設定した各寸法パラメータの各水準値を任意に組み合わせて、複数の寸法パラメータ群を作成する（ステップＳ３：寸法パラメータ群生成ステップ）。本実施例では、以下の表２のように１８個の寸法パラメータ群（Ｎｏ．１〜１８）を設定した。
【００４２】
【表２】
0004786968.tif 000003
【００４３】
次に、有限要素法解析部２０において、物性データ及び力学的条件設定部２１で設定した歯付ベルトの物性データ及び力学的条件と、寸法パラメータ群生成部１２で作成した複数の寸法パラメータ群を入力として、ＦＥＭ解析によって歯付ベルトの性能を示す出力を得る（ステップＳ４：有限要素法解析ステップ）。本実施例では、歯付ベルトの物性データとして、心線の引張り剛性１，４５０ｋｇｆ、心線層（心線径をその厚みとする仮想の層）の弾性率＝４．０ｋｇｆ／ｍｍ2、歯布の弾性率＝４．０ｋｇｆ／ｍｍ2、ムーニーリプリンの材料モデルのパラメータ（ゴムの非線形性を表すパラメータ）Ｃ１０＝０．０４１７，Ｃ０１＝０．０８８２とした。また、歯付ベルトの力学的条件として、歯付ベルトの一歯の両端を鉄（弾性率＝２１，０００ｋｇｆ／ｍｍ2）で挟み、両端にかかる張力を以下の表３のように設定して、歯荷重を３通りに変化させた。これは、歯付ベルトの一歯のみをモデル化する場合、その両端面を平坦なまま固定する必要があるため、ゴムに比較して硬い材料である鉄で挟み込む形式とした。
【００４４】
【表３】
0004786968.tif 000004
【００４５】
更に、ＦＥＭ解析条件として、図６に示すように、歯部を要素分割し、歯布層、ゴム層共にその表層部に厚さ約０．１ｍｍの要素からなる層を形成し、張り側ゴム層、ゆるみ側ゴム層、張り側歯布層、ゆるみ側歯布層の４箇所について、それぞれ歯元部を含む複数の要素（図５に示す黒塗り部分）を抽出し、歯付ベルトの性能を示す出力としてせん断応力を選択し、各要素における最大せん断応力値をＦＥＭ解析によって求めた。尚、張り側とは張力の大きい側、ゆるみ側とは張力の小さい側を言う。ＦＥＭ解析は、パーソナルコンピュータにインストールしたソフトウェア（ＭＳＣ製  Ｍａｒｃ２０００）を用いて行った。そして、ＦＥＭ解析により得られた出力、即ち各箇所において最大値を示した要素の最大せん断応力値を以下の表４に示す。
【００４６】
【表４】
0004786968.tif 000005
【００４７】
尚、表４において、各Ｎｏは、表２の寸法パラメータ群に対応するものである。また、歯荷重は表３の３通りで計算し、最大値を与えたものを示している。
【００４８】
そして、ニューラルネットワーク３０において、有限要素法解析部２０の入力と有限要素法解析部２０で得た出力との組み合わせを学習用データとして学習させる（ステップＳ５：ニューラルネットワーク学習ステップ）。本実施例では、パーソナルコンピュータにインストールしたソフトウェア（シー・エー・イー社製  ニューラルアシスタント）を用いて、表２に示す有限要素法解析部２０の入力と表４に示す有限要素法解析部２０で得た出力との組み合わせをニューラルネットワークに学習させた。
【００４９】
次に、認識用データ生成部１３において、各寸法パラメータの値を寸法パラメータ水準値設定部１１で設定した各寸法パラメータの水準値の最大値と最小値の間の範囲で任意に設定して、複数の認識用データを作成する（ステップＳ６：認識用データ生成ステップ）。本実施例では、以下の表５に示すように、表１に示す各寸法パラメータの最大値と最小値との間を１０分割し、１１水準の認識用データを作成した。
【００５０】
【表５】
0004786968.tif 000006
【００５１】
続いて、ステップＳ５で学習済みのニューラルネットワーク３０において、認識用データ生成部１３で作成した複数の認識用データを入力として歯付ベルトの性能を示す出力である認識出力を得る（ステップＳ７：ニューラルネットワーク算出ステップ）。本実施例では、表５に示す全ての寸法パラメータの組み合わせは１１の６乗（約１７７万）通りとなる。これらが全てステップＳ５で学習済みのニューラルネットワーク３０で処理され、前記４箇所における最大せん断応力が求められる。
【００５２】
そして、最適形状出力部３１において、制約条件入力部３２で入力した所定の制約条件を満たした認識出力の中から、最良の出力を与えた入力である認識用データを有する歯付ベルトを最適形状として決定する（ステップＳ８：最適形状出力ステップ）。本実施例では、所定の制約条件として、以下の表６に示すように、現行値に対する２種類の制約条件Ａ（現行値と同じ）、制約条件Ｂ（すべての箇所において３％の応力増加を許容する）を設定した。
【００５３】
【表６】
0004786968.tif 000007
【００５４】
約１７７万通りの寸法パラメータの組み合わせとニューラルネットワーク３０により得られた認識出力で、表６に示す制約条件Ａ，Ｂに基づいた制約条件を満足する出力の中から、今回の目的である「歯布ゆるみ側応力の低減」に基づいて、最小の歯布ゆるみ側歯布層の最大せん断応力を与える寸法パラメータの組み合わせを特定し、それによって表される歯付ベルトの形状を歯付ベルトの最適形状と決定した。以下の表７に結果を示す。尚、表７中の「処理時間」は、制約条件Ａ，Ｂに基づいた制約条件を満足し最小の歯布ゆるみ側歯布層の最大せん断応力を与える出力のそれぞれについて、ニューラルネットワーク３０で処理にかかった時間を示す。
【００５５】
【表７】
0004786968.tif 000008
【００５６】
表７に示すように、制約条件Ａ，Ｂに基づいて、歯布ゆるみ側応力が１５〜２０％程度低減された歯付ベルトの最適形状を短時間に予測することができた。
【図面の簡単な説明】
【００５７】
【図１】本実施形態に係る歯付ベルト最適形状予測装置を示す概略図である。
【図２】本実施形態に係る歯付ベルト最適形状予測方法の処理の手順を示すフローチャート図である。
【図３】歯付ベルト伝動装置を示す概略図である。
【図４】歯付ベルトを示す断面斜視図である。
【図５】歯付ベルトを構成する複数の寸法パラメータの一例を示す図である。
【図６】本実施例に係るＦＥＭ解析において要素分割した歯部を示す図である。
【符号の説明】
【００５８】
１０  寸法パラメータ選択部
１１  寸法パラメータ水準値設定部
１２  寸法パラメータ群生成部
１３  認識用データ生成部
２０  有限要素法解析部
２１  物性データ及び力学的条件設定部
３０  ニューラルネットワーク
３１  最適形状出力部
３２  制約条件入力部
４０  歯付ベルト最適形状予測装置
Ｓ１  寸法パラメータ選択ステップ
Ｓ２  寸法パラメータ水準値設定ステップ
Ｓ３  寸法パラメータ群生成ステップ
Ｓ４  有限要素法解析ステップ
Ｓ５  ニューラルネットワーク学習ステップ
Ｓ６  認識用データ生成ステップ
Ｓ７  ニューラルネットワーク算出ステップ
Ｓ８  最適形状出力ステップ
【図１】
0004786968.tif 000009
【図２】
0004786968.tif 000010
【図３】
0004786968.tif 000011
【図４】
0004786968.tif 000012
【図５】
0004786968.tif 000013
【図６】
0004786968.tif 000014